(57)【要約】【課題】縦横何れの設置姿勢であっても、安定して設置可能な電子機器収納ケースを提供すること。【解決手段】本体２と透光部材としての可撓性シート２０とを有し、これら本体２と可撓性シート２０との間に、電子機器Ｐを収納するための機器収納部Ａを備えた電子機器収納ケースとしての防水ケース１であって、前記本体２が横置きにも縦置きにも設置可能であると共に、前記本体２の背面部４Ａに折りたたみ可能なスタンド２８を備えたことで、電子機器Ｐに応じて、縦置き及び横置きが可能となる。【選択図】図７
2015119112.tif 000002
【特許請求の範囲】
【請求項１】
本体と透光部材とを有し、これら本体と透光部材との間に電子機器を収納するための機器収納部を備えた電子機器収納ケースにおいて、
前記本体が横置きにも縦置きにも設置可能であると共に、前記本体の背面部に折りたたみ可能なスタンドを備えたことを特徴とする電子機器収納ケース。
【請求項２】
前記スタンドが、脚部と、前記本体の背面部と前記脚部とを接続する角度規定部と、前記背面部に設けられた縦長のガイド溝とを備え、前記角度規定部の下端が前記背面部に対して揺動可能に枢支され、前記角度規定部の上端が前記脚部に対して揺動可能に枢支され、前記脚部の一端が設置面と当接する接地部を備え、前記脚部の他端が前記ガイド溝に対しスライド可能に接続されると共に、前記ガイド溝内又は／及び前記ガイド溝近傍に、前記脚部を開いた状態で保持する保持手段を備えたことを特徴とする請求項１記載の電子機器収納ケース。
【請求項３】
前記脚部の一部と前記角度規定部の一部とが係合する係合部を備えたことを特徴とする請求項２に記載の電子機器収納ケース。
【請求項４】
前記本体の背面部に、前記脚部を収納可能な凹部を設けると共に、収納状態において前記脚部と背面部とがほぼ面一となるように構成したことを特徴とする請求項２に記載の電子機器収納ケース。
【発明の詳細な説明】
【技術分野】
【０００１】
本発明は、携帯型の電子機器を収納するための機器収納部を備えた電子機器収納ケースに関するものである。
【背景技術】
【０００２】
従来、この種の電子機器収納ケースとしては、スピーカーを有する防水ケースに蓋体を設け、防水ケースと蓋体で囲まれる防水領域内に、外部音源としての携帯型音響機器等を収容することができるようにしたものが知られている。（例えば、特許文献１参照。）。
【先行技術文献】
【特許文献】
【０００３】
【特許文献１】特許４４７１９５８号公報
【発明の概要】
【発明が解決しようとする課題】
【０００４】
しかしながら、前述のような電子機器収納ケースにおいては、縦置きや横置き等の複数の姿勢でケースを設置するという観点が考慮されていなかった。なお、近年は、スマートフォンやタブレット型端末等で、使用する向きに応じて表示部の表示画面を回転させる機能を有する電子機器が多く存在している。このような電子機器をケースに収納して使用する場合、電子機器が収納されたケースを縦置きや横置きに適宜変更して使用することが望まれる。しかしながら、従来のものはそのような観点が考慮されておらず、姿勢によっては安定してケースを設置できないという問題があった。
【０００５】
また、特にスマートフォンやタブレット型端末等をケースに収納して使用する場合、用途によっては、画面の仰角がなるべく小さくなる（即ち、使用者の俯角がなるべく小さくなる）ように、ケースを垂直に近い姿勢で置くことができるようなものが求められる。例えば、浴室で使用する場合等では、使用者の視点とケースが置かれる高さが殆ど同じになる、即ち、使用者の俯角が小さくなるので、ケースが垂直に近い姿勢をとることができるのが望ましい。しかしながら、一般的な折り畳み型のスタンドでは、垂直に対する傾斜角度が大きくなってしまうという問題があった。或いは、一般的な折り畳み型のスタンドでは、垂直に対する傾斜角度が小さくなるようにすると、不安定となってしまうという問題があった。
【０００６】
本発明は以上の問題点を解決し、縦置き及び横置きが可能な電子機器収納ケースを提供することを目的とする。また、縦置き時に電子機器の画面の仰角が小さくなるような姿勢であっても、安定して設置可能な電子機器収納ケースを提供することを目的とする。
【課題を解決するための手段】
【０００７】
本発明の請求項１に記載の電子機器収納ケースは、本体と透光部材とを有し、これら本体と透光部材との間に電子機器を収納するための機器収納部を備えた電子機器収納ケースにおいて、前記本体が横置きにも縦置きにも設置可能であると共に、前記本体の背面部に折りたたみ可能なスタンドを備えたものである。
【０００８】
また、本発明の請求項２に記載の電子機器収納ケースは、請求項１において、前記スタンドが、脚部と、前記本体の背面部と前記脚部とを接続する角度規定部と、前記背面部に設けられた縦長のガイド溝とを備え、前記角度規定部の下端が前記背面部に対して揺動可能に枢支され、前記角度規定部の上端が前記脚部に対して揺動可能に枢支され、前記脚部の一端が設置面と当接する接地部を備え、前記脚部の他端が前記ガイド溝に対しスライド可能に接続されると共に、前記ガイド溝内又は／及び前記ガイド溝近傍に、前記脚部を開いた状態で保持する保持手段を備えたものである。
【０００９】
また、本発明の請求項３に記載の電子機器収納ケースは、請求項２において、前記脚部の一部と前記角度規定部の一部とが係合する係合部を備えたものである。
【００１０】
更に、本発明の請求項４に記載の電子機器収納ケースは、請求項２において、前記本体の背面部に、前記脚部を収納可能な凹部を設けると共に、収納状態において前記脚部と背面部とがほぼ面一となるように構成したものである。
【発明の効果】
【００１１】
本発明の請求項１に記載の電子機器収納ケースは、以上のように構成することにより、電子機器に応じて、縦置き及び横置きが可能となる。
【００１２】
なお、前記スタンドが、脚部と、前記本体の背面部と前記脚部とを接続する角度規定部と、前記背面部に設けられた縦長のガイド溝とを備え、前記角度規定部の下端が前記背面部に対して揺動可能に枢支され、前記角度規定部の上端が前記脚部に対して揺動可能に枢支され、前記脚部の一端が設置面と当接する接地部を備え、前記脚部の他端が前記ガイド溝に対しスライド可能に接続されると共に、前記ガイド溝内に、前記脚部を開いた状態で保持する保持手段を備えるようにすることで、脚部の一点を支点として開閉する構造のものと比べて、本体の角度を、より起こした状態で安定して設置することができる。
【００１３】
また、前記脚部の一部と前記角度規定部の一部とが係合する係合部を備えることで、前記脚部が前記凹部内に収納された際に、前記脚部が使用者の意図に反して、不用意に開くことを防止することができる。
【００１４】
更に、前記本体の背面部に、前記脚部を収納可能な凹部を設けると共に、収納状態において前記脚部と背面部とがほぼ面一となるように構成することで、脚部を引っ掛けて不用意に開くことをより確実に防止することができる。
【図面の簡単な説明】
【００１５】
【図１】本発明の第一の実施形態を示す電子機器収納ケースの正面図である。
【図２】同、右側面図である。
【図３】同、蓋体を取り外した状態における正面図である。
【図４】同、縦置き姿勢時の正面図である。
【図５】同、縦置き姿勢時の背面図である。
【図６】同、縦置き姿勢時の右側面図である。
【図７】同、縦置き姿勢時のＡ−Ａ断面図である。
【図８】同、スタンドの収納時の断面図である。
【図９】同、スタンドの開脚途中時の断面図である。
【図１０】同、スタンドの開脚状態時の断面図である。
【発明を実施するための形態】
【００１６】
以下、本発明の第一の実施形態について、図１〜図１０に基づいて説明する。なお、以下の説明において、図１乃至図３における上下を横置き姿勢時の上下、図４乃至図７における上下を縦置き姿勢時の上下と規定する。また、図２及び図６乃至図１０における左を前、右を後と規定する。
【００１７】
１は、電子機器収納ケースとしての防水ケースである。この防水ケース１は、本体２と、この本体２に対して開閉可能に枢支された蓋体３とを有して構成されている。なお、前記防水ケース１は、正面視で略長方形状であり、本体２には一対の長辺２Ｌと短辺２Ｓを有し、蓋体３も一対の長辺３Ｌと短辺３Ｓを有する。
【００１８】
前記本体２は、外殻体４と、内殻体５とを有して構成されている。また、横置き姿勢時における前記外殻体４の下部に、軸受部６が形成されており、この軸受部６において前記蓋体３が枢支されている。また、横置き姿勢時における前記外殻体４の上部及び左右側部には、切欠部７，８，９，１０が形成されており、これらの切欠部７，８，９，１０において、前記蓋体３を閉じた状態で保持するためのバックル１１，１２，１３，１４が枢支されている。
【００１９】
更に、前記外殻体４の内周縁近傍には、環状の防水リブ１５が前方に突出して形成されており、前記蓋体３を閉じた際に、後述する可撓性シート２０の図示しないシール部が前記防水リブ１５に密接することで、この防水リブ１５よりも内側が、機器収納部としての防水領域Ａとなる。なお、この機器収納部としての防水領域Ａ内には、その基端が前記本体２内の図示しない増幅器等に電気的に接続されたケーブル１６が設けられており、このケーブル１６の先端に、接続端子１７が取り付けられている。そして、前記内殻体５が前記防水リブ１５の内側に取り付けられているので、前記内殻体５は前記防水領域Ａに配置されていることになる。なお、前述したように、前記防水ケース１は正面視で略長方形状となっているため、前記防水領域Ａも同じく略長方形状となる。
【００２０】
前記蓋体３は、窓部１８が形成された枠体１９と、この枠体１９に取り付けられると共に前記窓部１８を塞ぐ透光部材としての可撓性シート２０とを有して構成されている。また、横置き姿勢時において、前記蓋体３の枠体１９の下部に設けられた軸受部２１は、前述したように、前記外殻体４の軸受部６において、図示しない軸によって枢支されている。なお、前記可撓性シート２０は、シリコンゴム等、透光性、防水性、伸縮性、可撓性及び適度な弾性を有する材質で形成されている。また、横置き姿勢時における前記枠体１９の上部には、前記バックル１１,１２に対応して図示しないバックル受部が形成されていると共に、前記枠体１９の左右側部にも、前記バックル１３，１４に対応したバックル受部が形成されている。
【００２１】
また、前記外殻体４の底部には、前記防水ケース１を横置きとした姿勢で設置面Ｆと当接する第一設置部２２が設けられる。前記第一設置部２２は、前記軸受部６，２１と、前記外殻体４の底部後方に設けられた後方接地部２３とで構成される。
【００２２】
また、前記外殻体４と内殻体５との間には、図示しない増幅器が設けられていると共に、前記外殻体４の背面部４Ａには、音量調節摘み２４が設けられている。また、前記外殻体４の背面部４Ａには、図示しない防水構造のスピーカーが左右対称に一対設けられていると共に、このスピーカーが発する音を反射するための音響反射板２５が、前記外殻体４に摺動可能に取り付けられている。また、前記外殻体４の背面部４Ａには、前記防水ケース１を持ち運ぶために使用されるハンドル２６が、前記背面部４Ａに対して枢支されている。また、前記外殻体４の背面部４Ａの略中央には、凹部２７が設けられていると共に、この凹部２７に折り畳み可能なスタンド２８が設けられている。なお、前記スタンド２８は、前記凹部２７に収容される。
【００２３】
前記凹部２７及びスタンド２８について詳述する。前記凹部２７は、前記外殻体４の背面部４Ａに設けられ、本体２の短辺２Ｓの長さに対して略中央の位置で、且つ前記本体２の長辺２Ｌの中央の位置から縦置き時における下側（横置き時における背面視左側）に設けられる。なお、前記凹部２７は、前記長辺２Ｌの方向に長い略長方形状に形成される。そして、前記凹部２７の長さは、前記本体２の長辺２Ｌの長さのほぼ半分である。また、縦置き姿勢時における前記凹部２７の上部には、縦長のガイド溝２９を備えたガイド部３０が設けられている。なお、前記ガイド溝２９は、縦置き姿勢時において、前記ガイド部３０に対し左右方向に貫通して形成される。また、前記ガイド溝２９は、縦溝部３１と横溝部３２と突条部３３とを有する。前記縦溝部３１は、縦置き姿勢において上下方向に形成される。一方、前記横溝部３２は、前記縦溝部３１の下端においてこの縦溝部３１と直交するように、前方に向かって形成される。更に、前記突条部３３は、前記縦溝部３１の下端において、溝の幅を狭くするように構成される。なお、前記突条部３３が形成される部位における前記ガイド溝２９の幅は、このガイド溝２９に挿通される摺動軸３４の太さよりも僅かに狭くなっている。一方、前記ガイド溝２９の幅は、前記突条部３３が形成されている部位を除いて、前記摺動軸３４の太さよりもやや広くなっている。なお、前記ガイド部３０の長さは、前記凹部２７の長さに対して４分の１程度である。また、前記ガイド溝２９の長さは、本実施例では３センチメートル程度である。また、前記凹部２７における前記横溝部３２の近傍には、図示しない凹溝部が前記摺動軸３４と平行に形成される。そして、前記横溝部３２と図示しない凹溝部が、後述する脚部３７を開いた状態で保持する保持手段として機能する。更に、縦置き姿勢時における前記凹部２７の下部には、軸受部３６が設けられる。
【００２４】
前記スタンド２８は、前記凹部２７に対して折り畳み収納可能な脚部３７と、前記凹部２７と前記脚部３７とを接続する角度規定部３８と、前記ガイド溝２９を有するガイド部３０と、前記摺動軸３４によって構成される。なお、前記脚部３７は、前記長辺２Ｌの方向に長い略長方形状に形成される。そして、前記脚部３７の長さは、前記凹部２７の長さとほぼ等しく、前記本体２の長辺２Ｌの長さのほぼ半分である。また、前記脚部３７の幅は、前記凹部２７の幅とほぼ等しい。
【００２５】
前記脚部３７は、その一端側（縦置き姿勢時の下端側）に、設置面Ｆと当接する後方接地部３９を有する。そして、この後方接地部３９と、前記本体２における切欠部９側の短辺２Ｓとで、第二設置部４０が構成される。前記後方接地部３９には、半円状に切り欠いた切欠部４１が形成される。そして、この切欠部４１によって、前記凹部２７と脚部３７との間に、指を入れるための空間が生ずる。一方、前記脚部３７は、その他端側（縦置き姿勢時の上端側）に、前記ガイド溝２９に対応する摺動部４２を有する。この摺動部４２には、前記ガイド部３０に対応して、切欠部４３が形成される。なお、この切欠部４３の深さは、前記ガイド部３０の長さとほぼ等しい。また、前記切欠部４３の幅は、前記ガイド部３０の幅とほぼ等しい。そして、前記切欠部４３の開放端側に、前記摺動軸３４が取り付けられる。この摺動軸３４は、前記ガイド溝２９を貫通して設けられる。従って、前記摺動軸３４は、前記ガイド溝２９内をスライド移動可能となる。また、前記脚部３７のほぼ中央には、軸受部４４が設けられる。そして、この軸受部４４の軸方向は、前記摺動軸３４の軸方向及び前記軸受部３６の軸方向と平行である。更に、前記後方接地部３９と軸受部４４との間には、係合爪４５が設けられる。なお、前記脚部３７の厚さは、前記凹部２７の深さとほぼ等しい。また、前記脚部３７の前記本体２側には、凹部４６が形成される。
【００２６】
前記角度規制部３８は、その一端（縦置き姿勢時の下端）に設けられた揺動軸部４７によって、前記本体２の軸受部３６に対し揺動可能に枢支される。一方、前記角度規制部３８は、その他端（縦置き姿勢時の上端）に設けられた揺動軸部４８によって、前記脚部３７の軸受部４４に対し、揺動可能に枢支される。また、前記角度規定部３８の揺動軸部４７の近傍には、前記係合爪４５と係合する係合受部４９が形成される。なお、前記角度規制手段３８の厚さは、前記脚部３７の凹部４６の深さと同じか、やや薄い。従って、前記スタンド２８を折り畳むと、前記角度規制部３８は前記脚部３７の凹部４６にすっぽりと収容される。同時に、前記脚部３７の係合爪４５が前記係合受部４９と係合する。一方、前記脚部３７は、前記凹部２７に収容される。この際、前記本体２の外殻体４の背面部４Ａと前記脚部３７の背面３７Ａは、ほぼ面一となる。
【００２７】
なお、前記脚部３７の開脚角度は、この脚部３７の長さと位置、前記角度規定部３８の長さと位置、及び前記ガイド溝２９の縦溝部３１及び横溝部３２の長さによって規定される。本実施形態では、これらの要素によって、前記脚部３７が前記本体２に対し約３３度程度開くように規定されている。これは、縦置き時の前記本体２が、設置面Ｆと直交する仮想線Ｙに対し１０度程度後方に傾くように調整した結果である。
【００２８】
次に、本実施形態の作用について説明する。まず、使用者は、電子機器Ｐを用意する。なお、この電子機器Ｐは、前記窓部１８及び防水領域Ａよりも充分小さくなければならない。そして、使用者は、横置き姿勢時において、前記枠体１９の上部に形成された図示しないバックル受部と前記バックル１１，１２との係合を解くと共に、前記枠体の左右側部に形成された図示しないバックル受部と前記バックル１３，１４との係合を解いた後、前記蓋体３を開いて前記防水領域Ａを露出させる。そして、前記電子機器Ｐの図示しない出力端子に前記接続端子１７を接続し、前記電子機器Ｐを前記防水領域Ａに配置した後、前記蓋体３を閉じて、前記枠体１９の上部及び左右に形成された図示しないバックル受部と前記バックル１１，１２，１３，１４とを係合させる。この状態において、前記可撓性シート２０の図示しないシール部と前記防水リブ１５とが密接することで、前記防水リブ１５よりも内側の防水領域Ａが、前記可撓性シート２０によって密閉される。これによって、前記電子機器Ｐが収納された防水領域Ａへ水が侵入することが防止される。
【００２９】
使用者が、前記電子機器Ｐが収納された前記防水ケース１を横置きに設置して使用する場合、前記外郭体４の底部に設けられた前記第一設置部２２を設置面Ｆに設置させればよい。このようにすることで、前記防水ケース１は、前記外殻体４の底部前方に設けられた軸受部６及び前記蓋体３の下部に設けられた軸受部２１と、前記外殻体４の底部後方に設けられた後方接地部２３によって支持され、安定して横置きに設置可能となる。
【００３０】
使用者が、前記電子機器Ｐが収納された前記防水ケース１を縦置きに設置して使用する場合、前記スタンド２０を用いる。まず、使用者は前記脚部３７の切欠部４１と凹部２７との間の空間に指を入れて、前記切欠部４１に指を掛け、前記脚部３７の後方接地部３９側を後方へ引き出す。この際、前記脚部３７の係合爪４５と前記角度規定部３８の係合受部４９との係合が解かれる。そして、前記脚部３７の軸受部４４に前記角度規定部３８の揺動軸部４８が枢支されていると共に、前記角度規定部３８の揺動軸部４７が前記凹部２７の軸受部３６に枢支されているため、前記角度規定部３８は、前記脚部３７に引かれて、前記揺動軸部４７を中心として右回りに揺動する。そして、前記角度規定部３８が揺動すると、この角度規定部３８の揺動軸部４８が後方に移動すると同時に、下方にも移動する。従って、前記角度規定部３８に連結された前記脚部３７も、全体として下方に移動することになる。このため、前記脚部３７の摺動部４２は、これに取り付けられた摺動軸３４が前記ガイド溝２９の縦溝部３１に案内されることで、下方に移動する。
【００３１】
そして、前記摺動軸３４が前記ガイド溝２９の縦溝部３１の下端に設けられた突条部３３を乗り越えると、前記摺動軸３４、ひいてはこの摺動軸３４が取り付けられた前記脚部３７が、これ以上下方に移動できなくなる。同時に、前記角度規定部３８も、これ以上右回りに揺動できなくなる。従って、この時点において、前記脚部３７は最大限開脚した状態となる。この状態から、前記防水ケース１を設置面Ｆに設置すると、前記本体２の自重によってこの本体２が後方に僅かに倒れることで、前記摺動軸３４が前記横溝部３２に沿って相対的に前方に移動する。そして、前記摺動軸３４が前記横溝部３２の前端に当接すること、及び／又は前記摺動部４２が図示しない凹溝部と当接することによって、開脚状態における前記脚部３７の位置が保持される。
【００３２】
このように、前記スタンド２８は、前記脚部３７が凹部２７内に折り畳み収納可能されていた状態から開脚状態へと変化させた場合、前記摺動軸３４が、収納時の位置から前記ガイド溝２９の長さ分（本実施形態では約３センチ）、下方にスライドする。これにより、脚部の一点を単純な支点として開閉するものと比べて、前記本体２の傾斜角度を小さくした状態で、前記防水ケース１を安定して設置することが可能である。このような構造にすることで、使用者は、前記防水ケース１内に収納された電子機器Ｐの画面を見ながら、より良好に操作することが可能となる。
【００３３】
また、使用者が前記スタンド２８を収納する場合、このスタンド２８の脚部３７の後方接地部３９側を前記本体２側、即ち前方へ押す。すると、前記脚部３７は、前記軸受部４４を支点にして揺動する。即ち、前記脚部３７の摺動部４２側は、後方に移動する。これによって、前記摺動軸３４及び摺動部４２は、保持手段である前記横溝部３２及び図示しない凹溝部から離れる。そして、前記摺動軸３４が前記横溝部３２の後端まで移動した後、前記脚部３７を上方に押すことで、前記摺動軸３４が前記突条部３３を乗り越えて前記縦溝部３１に入る。この状態から、前記脚部３７を更に上方に移動させることで、前記摺動軸３４を前記案内溝２９の上端まで移動させる。更に、前記脚部３７の下部を前記本体２側に押し付けることで、前記係合爪４５を係合受部４９に係合させる。このように、前記係合爪４５を係合受部４９に係合させることによって、前記スタンド２８が前記凹部２７に収納された状態から、前記脚部３７が使用者の意図に反して不用意に開くのを防止することができる。また、前述したように、前記スタンド２８が前記凹部２７に収納された際、前記脚部３７の背面３７Ａが背面部４Ａと面一となるため、意匠上すっきりとした印象にすることができるばかりでなく、前記脚部３７を引っ掛けて不用意に開くのをより確実に防止することができる。
【００３４】
以上のように、本発明の電子機器収納ケースとしての防水ケース１は、本体２と透光部材としての可撓性シート２０とを有し、これら本体２と可撓性シート２０との間に電子機器Ｐを収納するための機器収納部Ａを備え、前記本体２が横置きにも縦置きにも設置可能であると共に、前記本体２の背面部４Ａに折りたたみ可能なスタンド２８を備えたことで、電子機器Ｐに応じて、縦置き及び横置きが可能となるものである。
【００３５】
また、本発明の電子機器収納ケースとしての防水ケース１は、前記スタンド２８が、脚部３７と、前記本体２の背面部４Ａと前記脚部３７とを接続する角度規定部３８と、前記背面部４Ａに設けられた縦長のガイド溝２９とを備え、前記角度規定部３８の下端の揺動軸部４７が前記背面部４Ａに設けられた軸受部４４に対して揺動可能に枢支され、前記角度規定部３８の上端の揺動軸部４８が前記脚部３７の軸受部４４に対して揺動可能に枢支され、前記脚部３７の一端が設置面Ｆと当接する後方接地部３９を備え、前記脚部３７の他端の摺動部４２が、前記摺動軸３４によって前記ガイド溝２９に対しスライド可能に接続されると共に、前記ガイド溝２９内に、前記脚部３７を開いた状態で保持する保持手段としての横溝部３２を設け、前記ガイド溝２９の近傍にも、前記脚部３７を開いた状態で保持する保持手段としての図示しない凹溝部を設けたので、脚部の一点を支点として開閉する構造のものと比べて、本体の角度を、より起こした状態で安定して設置することができるものである。
【００３６】
また、本発明の電子機器収納ケースとしての防水ケース１は、前記脚部３７に設けられた係合爪４５と前記角度規定部３８に設けられた係合受部４９とを備え、これらを相互に係合可能とすることで、前記脚部３７が使用者の意図に反して、不用意に開くことを防止することができるものである。
【００３７】
更に、本発明の電子機器収納ケースとしての防水ケース１は、前記本体２の背面部４Ａに、前記脚部３７を収納可能な凹部２７を設けると共に、収納状態において前記脚部３７の背面３７Ａと前記本体２の背面部４Ａとがほぼ面一となるように構成することで、前記脚部３７を引っ掛けて不用意に開くことをより確実に防止することができるものである。
【００３８】
なお、本発明は以上の実施形態に限定されるものではなく、発明の要旨の範囲内で種々の変形実施が可能である。例えば、本実施形態では、角度規定部の両端にそれぞれ揺動軸部を設け、脚部と凹部にそれぞれ軸受部を設けたが、揺動軸部と軸受部が逆であっても構わない。また、本実施形態では、防水領域Ａを機器収納部としたが、本発明は防水型の電子機器収納ケースに限らない。更に、上記実施形態では、電子機器収納ケースに、縦置き時に使用される折りたたみ式スタンドのみを設けたが、横置き時に使用される折りたたみ式スタンドを併せて設けてもよい。
【符号の説明】
【００３９】
１  防水ケース（電子機器収納ケース）
２  本体
４Ａ  背面部
２０  可撓性シート（透光部材）
２７  凹部
２８  スタンド
２９  ガイド溝
３２  横溝部（保持手段）
３４  摺動軸
３７  脚部
３７Ａ  背面
３８  角度規定部
３９  後方接地部（接地部）
４５  係合爪（係合部）
４９  係合受部（係合部）
Ａ  機器収納部
Ｆ  設置面
Ｐ  電子機器
【図１】
2015119112.tif 000003
【図２】
2015119112.tif 000004
【図３】
2015119112.tif 000005
【図４】
2015119112.tif 000006
【図５】
2015119112.tif 000007
【図６】
2015119112.tif 000008
【図７】
2015119112.tif 000009
【図８】
2015119112.tif 000010
【図９】
2015119112.tif 000011
【図１０】
2015119112.tif 000012